(57)【要約】【課題】筐体の表面に装飾体を有する表示装置において、剛性の高い装飾体を筐体に簡単に固定することのできる表示装置およびテレビジョン受信機を提供する事を目的とする。【解決手段】表示部を収容する筐体と、前記筐体の外表面の一部を覆う装飾体とを有する表示装置において、前記装飾体は、板状の装飾板本体と、該装飾板本体の周縁部に突設された差込部と、前記装飾板本体の一方の広面側に設けられ、前記差込部が設けられた側に傾いた突起状の広面側被保持部とを備え、前記筐体は、前記差込部を差込み可能な差込穴と、前記差込穴から離れる向きに突設されており前記広面側被保持部と係合された広面側保持部と、前記装飾板本体の周縁部または前記差込部を保持した外側保持部とを備える。【選択図】図９
2016066953.tif 000002
【特許請求の範囲】
【請求項１】
表示部を収容する筐体と、
前記筐体の外表面の一部を覆う装飾体とを有する表示装置において、
前記装飾体は、
板状の装飾板本体と、
該装飾板本体の周縁部に突設された差込部と、
前記装飾板本体の一方の広面側に設けられ、前記差込部が設けられた側に傾いた突起状の広面側被保持部と
を備え、
前記筐体は、
前記差込部を差込み可能な差込穴と、
前記差込穴から離れる向きに突設されており前記広面側被保持部と係合された広面側保持部と、
前記装飾板本体の周縁部または前記差込部を保持した外側保持部と
を備えることを特徴とする表示装置。
【請求項２】
前記装飾板本体は、
広面内における一方向の寸法が該一方向と直交する他の方向の寸法より長く、
前記装飾板本体および前記広面側被保持部は、
前記装飾板本体の長手方向に沿って一様な断面を有することを特徴とする請求項１に記載の表示装置。
【請求項３】
前記外側保持部は、
前記差込穴の周辺に設けられた、前記差込部と係合する突起であることを特徴とする請求項１または請求項２のいずれか一つに記載の表示装置。
【請求項４】
前記外側保持部は
筐体の外側に向けて突出し、
前記装飾板本体の前記差込部が設けられた側と反対側の周縁部と係合する突起であることを特徴とする請求項１または請求項２のいずれか一つに記載の表示装置。
【請求項５】
請求項１から４のいずれか一つに記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、筐体の外表面に装飾体を備えた表示装置およびテレビジョン受信機に関する。
【背景技術】
【０００２】
近年、表示装置の大型化が進んでいる。大型の表示装置は、たとえばテレビジョン受信機に使用されている。このような大型の表示装置はインテリアとしての役割も担うものである。そのため、表示部を収容する筐体の表面に装飾体を取り付けて、高級感を感じさせる外観とする意匠が採用されている。
【０００３】
流行に合わせて短期間で意匠を変更できるように、筐体の形状に対応して弾性変形する装飾体を使用した表示装置が提案されている（特許文献１）。特許文献１の装飾体は弾性のある矩形の薄板であり、筐体の一面には２本の溝が設けられている。装飾体の向かい合う二辺を筐体の２本の溝にそれぞれ挿入して、装飾体の弾性復元力を利用して固定する事で、溝と溝との間が装飾体により装飾される。
【０００４】
重厚な印象を与える意匠の場合には、特許文献１の装飾体よりも厚くて剛性の高い金属製の装飾体が採用される。このような装飾体は、筐体の外表面を装飾する剛性の高い部分の縁に設けた薄い帯状の部分を、筐体の構成部材の裏側に折り返して固定する。
【先行技術文献】
【特許文献】
【０００５】
【特許文献１】特開２０１０−８９４２６号公報
【発明の概要】
【発明が解決しようとする課題】
【０００６】
特許文献１の薄い装飾体は、簡単に取り付ける事ができるが、重厚な印象を与える意匠には適さない。一方、剛性の高い金属製の装飾体は重厚な印象を与える意匠に適しているが、装飾体を折り返して固定する作業に時間がかかるという問題がある。また、筐体の構成部材に装飾体を固定した後で表示装置を組み立てるので、装飾体の表面に傷を付けないように慎重に組立作業を行う必要がある。
【０００７】
装飾体を両面テープ、接着剤等で筐体の表面に貼り付けて固定する事も考えられる。このようにすれば、表示装置の組立作業の最終段階で装飾体を取り付ける事ができるので、組立工程で装飾体に傷を付けるおそれがあるという問題は回避できる。しかし、大型の表示装置の矩形の表示面の一辺の全長にわたるような大きな装飾体を取り付ける場合には、装飾体を所定の位置に正確に貼り付ける事が難しいという問題がある。
【０００８】
本発明は、組立の最終段階で剛性の高い装飾体を簡単に固定することのできる表示装置およびテレビジョン受信機を提供する事を目的とする。
【課題を解決するための手段】
【０００９】
本発明にかかる表示装置は、表示部を収容する筐体と、前記筐体の外表面の一部を覆う装飾体とを有する表示装置において、前記装飾体は、板状の装飾板本体と、該装飾板本体の周縁部に突設された差込部と、前記装飾板本体の一方の広面側に設けられ、前記差込部が設けられた側に傾いた突起状の広面側被保持部とを備え、前記筐体は、前記差込部を差込み可能な差込穴と、前記差込穴から離れる向きに突設されており前記広面側被保持部と係合された広面側保持部と、前記装飾板本体の周縁部または前記差込部を保持した外側保持部とを備えることを特徴とする。 
【００１０】
ここで筐体は表示装置の外装部品である。筐体は、表示部の他にも制御基板、テレビチューナー基板、スピーカーなど様々な周辺部品を収容する。表示部を収容する部分と他の周辺部品を収容する部分とが一体になっている筐体の場合もあれば、複数の部分に分かれている筐体の場合もある。筐体に収容される部品は、全体が筐体に覆われる場合もあれば、表示部のように一部分が筐体から露出する場合もある。
【発明の効果】
【００１１】
組立作業の最終段階で、剛性の高い装飾体を簡単に取り付けることのできる表示装置を提供する事ができる。
【図面の簡単な説明】
【００１２】
【図１】表示装置の外観全体を示す斜視図である。
【図２】図１のＡ部の部分拡大図である。
【図３】装飾体の外観を示す斜視図である。
【図４】装飾体の外観を示す拡大斜視図である。
【図５】図４のＢ−Ｂ線による断面図である。
【図６】フロントカバーの正面図である。
【図７】図６のＣ部の拡大図である。
【図８】図７のＤ−Ｄ線による断面図である。
【図９】装飾体と筐体を組み合わせた状態の断面図である。
【図１０】装飾体と筐体の固定方法を説明する説明図である。
【図１１】実施の形態２の装飾体の外観を示す斜視図である。
【図１２】図１１のＦ−Ｆ線による断面図である。
【図１３】実施の形態２の筐体に設けた保持部の正面図である。
【図１４】実施の形態２の装飾体と筐体を組み合わせた状態を後側から見た図である。
【図１５】図１４のＧ−Ｇ線による断面図である。
【図１６】実施の形態３の装飾体の外観を示す斜視図である。
【図１７】実施の形態３の装飾体の短手方向の断面図である。
【図１８】実施の形態３の外側保持部を後側から見た図である。
【図１９】実施の形態３の装飾体と筐体を組み合わせた状態の断面図である。
【図２０】実施の形態４の装飾体の外観を示す斜視図である。
【図２１】実施の形態４の装飾体の外観を示す拡大斜視図である。
【図２２】実施の形態４の装飾体と筐体とを組み合わせた状態の断面図である。
【発明を実施するための形態】
【００１３】
［実施の形態１］
図１は、表示装置１の外観全体を示す斜視図である。図２は、図１のＡ部の部分拡大図である。表示装置１は矩形の表示部２、筐体３、装飾体４、図示しないスピーカーを備える。
【００１４】
表示部２に対して使用者が正対した場合に、表示部２から使用者に向かう側を前側、その反対側を後側、上下をそれぞれ上側および下側とする。また、使用者から見て向かって左右をそれぞれ左側および右側とする。以下の説明では、各図中に矢印で示す前後左右上下のそれぞれの向きを使用する。
【００１５】
図示しない映像入力端子から入力された映像信号に基づいて表示部２に映像が表示される。また、図示しない音声入力端子から入力された音声信号に基づいてスピーカーから音声が出力される。
【００１６】
筐体３は、表示装置１の外装部品であり、表示部２および制御回路等の周辺部品を収容している。筐体３は複数の部材を組み合わせて構成されており、構成部材の大半は樹脂製である。筐体３を構成する部材のうち表示部２の下側に配置されたフロントカバー３１は、図示しないスピーカーの前側を覆っている。
【００１７】
装飾体４は、フロントカバー３１の表面のうち、表示部２の下辺に沿った斜め上向きの平面部分を覆うアルミニウム製の部材である。装飾体４を配置した部分は特に使用者の目に触れやすい部分である。高級感のある外観の装飾体４を使用することで、表示装置１の外観全体に高級感があるように使用者に感じさせる事ができる。装飾体４の表面のマーク部４９には、ブランド名、製品名、型番等が印刷、レーザ加工等により表示されている。
【００１８】
図３は、装飾体４の外観を示す斜視図である。図３は装飾体４を表示装置１に取り付けた場合に、筐体３を向く側から見た図である。図４は、装飾体４の外観を示す拡大斜視図である。図５は、図４のＢ−Ｂ線による断面図である。
【００１９】
装飾体４は、長板状の装飾板本体４１と、広面側被保持部４２と、差込部４３とを備えている。装飾板本体４１は、表示装置１の横幅とほぼ同じ長さの矩形板である。装飾板本体４１の一方の広面は装飾面４５、他方の広面は裏面４４である。裏面４４は、装飾体４を表示装置１に取り付けた際にフロントカバー３１側になる。装飾面４５は、装飾体４をフロントカバー３１に取り付けた際にフロントカバー３１の表面に露出して、表示装置１を装飾する。
【００２０】
差込部４３は、装飾板本体４１の一方の長辺の周縁部に配置された５枚の矩形板である。差込部４３の厚さは、装飾板本体４１よりも薄い。５枚の差込部４３は、全て同一厚さであり、同一平面に沿って、装飾板本体４１の長手方向に対して垂直に配置されている。装飾板本体４１の長手方向に沿った差込部４３の配置は、装飾板本体４１の両端付近に各１個、中央に１個、中央の差込部４３の両側に各１個である。
【００２１】
装飾板本体４１の長手方向に沿った寸法を比較すると、中央の差込部４３が最も短く、両端の差込部４３が最も長い。また装飾板本体４１の短手方向に沿った寸法を比較すると、差込部４３は装飾板本体４１よりも短い。差込部４３と裏面４４とは約１５０度の角度をなしている。中央を除く４枚の差込部４３の根本付近には、矩形の貫通穴である固定穴４３１が設けられている。両端の２枚の差込部４３の中央寄りには、円形の貫通穴である治具穴４３２が設けられている。中央の差込部４３の先端部は、大きく面取りされている。
【００２２】
広面側被保持部４２は、裏面４４に装飾板本体４１の長手方向と平行に、装飾板本体４１の両端部を除くほぼ全長にわたって設けられている。広面側被保持部４２は、差込部４３から離れた場所にある。
【００２３】
装飾板本体４１および広面側被保持部４２の短手方向の断面形状は両端部を除く全ての断面で同一である。差込部４３の存在する断面では、差込部４３の形状も固定穴４３１および治具穴４３２の部分を除いて同一である。装飾面４５の差込部４３とは反対側の長辺の付近はゆるやかに丸みを帯びており、表示装置１の外表面に取り付けられた際に鋭い角が露出しないようになっている。
【００２４】
広面側被保持部４２の断面は、裏面４４から垂直に立ち上がった短い脚の先に、差込部４３の方向に突き出した長方形の鉤が付いた略Ｌ字形状である。広面側被保持部４２の角は全て丸みを帯びている。
【００２５】
装飾体４の製作方法について説明する。図５の外形形状の断面を有する長棒をアルミニウムの押出成形により製作する。長棒を所定の長さに切断した後でパンチング加工を行い、差込部４３の外形、固定穴４３１、および治具穴４３２を形成する。なお、押出成形とは、材料に圧力を加えて所定の形状の金型から押し出す塑性加工方法であり、一様な断面の長棒の製作に適している。パンチング加工とは、金型を使って所定の形状を打ち抜く加工方法であり、差込部４３の外形、固定穴４３１、および治具穴４３２を一回の加工で形成できる。
【００２６】
その後、切削加工等により、広面側被保持部４２および装飾板本体４１の長手方向の両端部を所定の形状に仕上げる。最後に、装飾面４５にアルマイト処理、ヘアライン加工、サンドブラスト加工、電解研磨、印刷、レーザ加工等を行い、高級感のある表面に仕上げる。これらの仕上げ加工の際に、治具穴４３２を用いて製作中の装飾体４を保持する。
【００２７】
なお、装飾板本体４１および広面側被保持部４２を押出成形品の長棒を切断して製作した後に、差込部４３をロウ付けまたは溶接で取り付けても良い。パンチング加工で除去する部分が少ないため、材料を節約できる。
【００２８】
図６は、フロントカバー３１の正面図である。図７は、図６のＣ部の拡大図である。図８は、図７のＤ−Ｄ線による断面図である。図９は、装飾体４と筐体３とを組み合わせた状態の断面図である。図１０は、装飾体４と筐体３の固定方法を説明する説明図である。
【００２９】
図６に示す通り、フロントカバー３１には広面側保持部３２が８か所、差込穴３４が５か所、外側保持部３３が４か所、それぞれ左右対称に設けられている。図８には、広面側保持部３２と外側保持部３３の２つの保持部の断面が表れている。
【００３０】
差込穴３４は、差込部４３と対応する部分に設けられている。差込穴３４は差込部４３を差込み可能な寸法である。差込穴３４のうち中央のものの下側は、中央の幅の狭い差込部４３の幅とほぼ同一であり、装飾板本体４１の長手方向の位置を所定の位置に規制する長手方向規制部となる。
【００３１】
外側保持部３３は、中央を除く４か所の差込穴３４の側面から下側に突出する略台形断面の突起である。外側保持部３３は、固定穴４３１と対応する部分に設けられている。
【００３２】
広面側保持部３２は、フロントカバー３１の装飾板本体４１で覆われる部分に設けられた、前側に向かって突出する直角三角形断面の突起である。広面側保持部３２の先端は丸みを帯びている。
【００３３】
フロントカバー３１の後側には、リアカバーが組み付けられている。リアカバーも筐体３を構成する部材である。図９は、筐体３に装飾体４を取り付けた状態での、Ｄ−Ｄ断面と同じ面の断面図である。
【００３４】
リアカバーは、開口部が前側を向いた略コの字形断面の部材である。フロントカバー３１の下部とリアカバーとの間には、略六角形断面の空間が形成される。フロントカバー３１とリアカバーで囲まれた空間には図示しないスピーカーおよびスピーカー制御基板が収容されている。広面側被保持部４２と広面側保持部３２、固定穴４３１と外側保持部３３がそれぞれ係合して、フロントカバー３１の表面に装飾体４が固定されている。
【００３５】
図１０を使用して、装飾体４の取り付け方法を説明する。装飾体４は表示装置１の組み立ての最終工程で取り付ける。装飾体４の差込部４３を、フロントカバー３１の前側から差込穴３４に差し込む。奥まで差し込むと、広面側保持部３２と広面側被保持部４２および裏面４４とフロントカバー３１の表面が突き当たる。このとき、外側保持部３３の先端部分は固定穴４３１のすぐ上にある。白抜き矢印で示すように装飾体４を下向きに押すと、裏面４４とフロントカバー３１とが突き当たったＥ部を支点として装飾体４が回転する。アルミニウム製の装飾体４に比べて剛性の低い広面側保持部３２および外側保持部３３が一時的に弾性変形して、広面側被保持部４２および固定穴４３１を通過させる。その結果、図９に示す位置で装飾体４が固定される。
【００３６】
装飾体４の左右方向の平行移動は、中央の差込穴３４で構成される長手方向規制部と中央の差込部４３とにより規制される。装飾体４の短手方向に沿った斜め上下方向の平行移動は、固定穴４３１に先端が入り込んだ外側保持部３３により規制される。装飾面４５に垂直な方向の平行移動は差込部４３と差込穴３４の縁が突き当たることにより規制される。装飾体４の時計回りの回転移動は、広面側被保持部４２と広面側保持部３２とが相互に突き当たることにより規制される。装飾体４の反時計回りの回転移動は、差込部４３と差込穴３４の縁が突き当たることにより規制される。装飾面４５の面内の回転移動は、広面側被保持部４２と広面側保持部３２が相互に突き当たることにより規制される。
【００３７】
以上により、装飾体４は図９に示す状態でフロントカバー３１の表面に固定され、表示装置１の通常の使用、保管および輸送では外れない。図９の状態では、広面側保持部３２および外側保持部３３には強い外力は作用していないので、クリープ変形等の経時劣化は発生しにくい。
【００３８】
なお、両面テープを予め装飾板本体４１の裏面４４またはフロントカバー３１の装飾板本体４１で覆われる部分に貼ってから、装飾体４を取り付けても良い。このようにすると、装飾体４の取り付け強度を強くすることができる。なお、両面テープの代わりに常温硬化型の接着剤を塗布しておいても良い。
【００３９】
本実施の形態によると、表示装置１の組立の最終段階で装飾体４を筐体３に簡単に固定することができる。したがって、特に外観品質が重要な装飾体４が後工程で傷つかないように保護しながら表示装置１を組み立てる必要がない。また、装飾体４の色違い等のデザインバリエーションの作り分けも容易に行える。
【００４０】
なお、装飾体４の取り付け作業は表示装置１の組立の最終段階に限定されない。装飾体４を組立の最初の段階で筐体３の構成部品に取り付けても良いし、組立途中の任意の段階で取り付けても良い。
【００４１】
なお、差込部４３は５枚に限定されず、任意の数にすることができる。装飾板本体４１が長い場合には、差込部４３を多くしても良い。差込部４３の広面の形状は台形、平行四辺形、半円形、三角形等にすることができる。複数の差込部４３の形状が相互に異なっていても良い。
【００４２】
差込部４３に設けた固定穴４３１の形状は、円形、三角形、多角形等任意の形状とすることができる。複数の固定穴４３１の寸法および形状は相互に異なっていても良い。１枚の差込部４３に複数の固定穴４３１を設けても良い。
【００４３】
長手方向規制部を設けず、装飾板本体４１の長手方向の位置を目視等により微調整しても良い。大型の樹脂部品であるフロントカバー３１の寸法精度を緩和する事で、金型コストの低減および歩留りの向上を図る事ができる。
【００４４】
広面側保持部３２の数は８個に限定されず、任意の数にすることができる。広面側被保持部４２のほぼ全長にわたる長い広面側保持部３２を１個だけ設けても良い。広面側保持部３２および広面側被保持部４２の配置は左右対称に限定されない。
【００４５】
［実施の形態２］
図１１は、実施の形態２の装飾体４の外観を示す斜視図である。図１２は、図１１のＦ−Ｆ線による断面図である。実施の形態１と共通する部分の説明は省略する。
【００４６】
図１１は装飾体４を表示装置１に取り付けた場合に、筐体３を向く側から見た図である。差込部４３は先端に装飾面４５側を向いた矩形断面の固定鉤４３３が配置されたＬ字板である。５個の差込部４３の断面は全て同一形状である。
【００４７】
図１３は、実施の形態２の筐体３に設けた保持部の正面図である。図１３は、筐体３の前側からみた広面側保持部３２および外側保持部３３を拡大した正面図であり、拡大場所は図７と同様である。
【００４８】
外側保持部３３は、中央を除く４か所の差込穴３４の左右両側面に設けられた直角三角形断面の突起である。直角の部分を上側に、一辺を表示装置１の左右方向と平行にして、左右対称に設けられている。
【００４９】
図１４は、実施の形態２の装飾体４と筐体３とを組み合わせた状態を後側から見た図である。図１５は、図１４のＧ−Ｇ線による断面図である。
【００５０】
中央を除く４つの差込部４３の幅は、図１４に示す様に２つの外側保持部３３の先端部間の間隔よりも大きい。装飾体４を取り付ける際には、固定鉤４３３を差込穴３４の外側保持部３３よりも下側に差し込んだ状態で、図１５の白抜き矢印で示すように装飾板本体４１を下向きに押す。アルミニウム製の装飾体４に比べて剛性の低い樹脂製の外側保持部３３が一時的に弾性変形して、差込部４３が外側保持部３３の上側に入り込み、固定鉤４３３が抜け止めとなる。広面側保持部３２に関しては、実施の形態１と同様である。
【００５１】
装飾体４の左右方向の平行移動は、中央の差込穴３４で構成される長手方向規制部と中央の差込部４３とにより規制される。装飾体４の短手方向に沿った斜め上下方向の平行移動は、固定鉤４３３が差込穴３４の縁に突き当たることにより規制される。装飾面４５に垂直な方向の平行移動は差込部４３と差込穴３４の縁が突き当たることにより規制される。装飾体４の時計回りの回転移動は、広面側被保持部４２と広面側保持部３２とが相互に突き当たることおよび外側保持部３３の上面と差込部４３の下面とが突き当たることにより規制される。装飾体４の反時計回りの回転移動は、差込部４３と差込穴３４の縁が突き当たることにより規制される。装飾面４５の面内の回転移動は、広面側被保持部４２と広面側保持部３２が相互に突き当たることにより規制される。
【００５２】
以上により、装飾体４は図１５に示す状態でフロントカバー３１の表面に固定され、表示装置１の通常の使用、保管および輸送では外れない。図１５の状態では、広面側保持部３２および外側保持部３３には強い外力は作用していないので、クリープ変形等の経時劣化は発生しにくい。
【００５３】
本実施の形態によると、固定穴４３１が不要なため、装飾体４のパンチング加工の金型を簡略化することができる。また、外側保持部３３の上側の平面と差込部４３の下面が平行に向かい合っているので、装飾体４が外側保持部３３を乗り越えて差込穴３４の下側になるように移動させる事が難しい。そのため、取り付け時と逆のルートで装飾体４を取り外す事が、実施の形態１よりも更に難しい。
【００５４】
［実施の形態３］
図１６は、実施の形態３の装飾体４の外観を示す斜視図である。図１７は、実施の形態３の装飾体４の短手方向の断面図である。図１８は、実施の形態３の外側保持部３３を後側から見た図である。図１９は、実施の形態３の装飾体４と筐体３とを組み合わせた状態の断面図である。実施の形態１と共通する部分の説明は省略する。
【００５５】
図１６は、装飾体４を表示装置１に取り付けた場合に、筐体３を向く側から見た図である。図１６に示す通り、差込部４３は、装飾板本体４１と同一の長さの１枚の板である。装飾体４の短手方向の断面形状は一様である。装飾板本体４１の差込部４３を設けていない側の長辺の周縁部は装飾板下縁４７である。
【００５６】
図１７に示す通り、差込部４３と装飾面４５とは約１２０度の角度をなしている。裏面４４には長手方向に溝があり、溝の装飾板下縁４７側の側面と溝よりも装飾板下縁４７側の裏面４４とにより、差込部４３の設けられた側に傾いた突起状の広面側被保持部４２が形成されている。
【００５７】
装飾体４の製作方法について説明する。図１７に示す断面の長棒をアルミニウムの押出成形により製作する。長棒を所定の長さに切断する。その後、広面側被保持部４２および装飾板本体４１の両端部を切削加工等で所定の形状に仕上げる。最後に、装飾面４５にアルマイト処理、ヘアライン加工、サンドブラスト加工、電解研磨、印刷、レーザ加工等により表面を仕上げる。すなわち、本実施の形態の装飾体４の製作工程ではパンチング工程は不要である。
【００５８】
本実施の形態では、フロントカバー３１は下フロントカバー３１１と上フロントカバー３１２の２つの部品で構成されている。図１８および図１９で下側のフロントカバー３１は下フロントカバー３１１、上側のフロントカバー３１は上フロントカバー３１２である。上フロントカバー３１２と下フロントカバー３１１とは図示しない他の筐体部材と組み合わせて筐体３として組み立てられている。上フロントカバー３１２と下フロントカバー３１１の両端部には、図示しない筐体部材が配置され、矩形の差込穴３４を形成している。差込穴３４の左右方向の長さと差込部４３の長手方向の長さとは等しくなっている。
【００５９】
下フロントカバー３１１には、１本の広面側保持部３２が設けられている。広面側保持部３２は、前側を向いて突出する鈍角三角形断面の突起である。広面側保持部３２は、装飾板本体４１で覆われる部分の全長にわたって設けられている。
【００６０】
上フロントカバー３１２の下端部の厚さは、差込部４３の約３倍の厚さである。上フロントカバー３１２には、左右方向の全長にわたって上フロントカバー３１２の約３分の１の厚さの前板部３９が設けられている。前板部３９の前側と上フロントカバー３１２の前側とは同一面である。
【００６１】
上フロントカバー３１２の下端部には、上フロントカバー３１２の約３分の１の厚さの矩形板形状の外側保持部３３が複数設けられている。外側保持部３３の上下方向の長さは、前板部３９の上下方向の長さよりも短い。外側保持部３３の後側と上フロントカバー３１２の後側は同一面である。前板部３９と外側保持部３３との間の間隔は、差込部４３の厚さよりもわずかに大きい。
【００６２】
図１９を用いて、装飾体４の固定方法について説明する。差込部４３を差込穴３４に差し込む。差込穴３４が長手方向規制部として作用して装飾体４の長手方向の位置は所定の位置に配置される。裏面４４の差込部４３側の辺である角部４３４と下フロントカバー３１１とを接触させた状態で、装飾体４を図１９に白抜き矢印で示すように下向きに押すと、装飾体４は角部４３４を支点として回転する。アルミニウム製の装飾体４に比べて剛性の低い広面側保持部３２および外側保持部３３が一時的に弾性変形して、広面側被保持部４２および差込部４３の端部を通過させる。装飾体４の回転は、下フロントカバー３１１および前板部３９の後側の壁で停止する。装飾体４は、広面側保持部３２と広面側被保持部４２および外側保持部３３と差込部４３とが係合して固定される。
【００６３】
装飾体４の左右方向の平行移動は、差込穴３４で構成される長手方向規制部と差込部４３とにより規制される。装飾体４の短手方向に沿った斜め上下方向の平行移動は、外側保持部３３と前板部３９とにはさまれた差込部４３により規制される。装飾面４５に垂直な方向の平行移動は外側保持部３３と前板部３９とにはさまれた差込部４３および装飾板本体４１により規制される。装飾体４の時計回りの回転移動は、広面側被保持部４２と広面側保持部３２とが相互に突き当たることにより規制される。装飾体４の反時計回りの回転移動は、差込部４３と前板部３９とが突き当たることにより規制される。装飾面４５の面内の回転移動は、広面側被保持部４２と広面側保持部３２が相互に突き当たることにより規制される。
【００６４】
以上により、装飾体４は図１９に示す状態でフロントカバー３１の表面に固定され、表示装置１の通常の使用、保管および輸送では外れない。図１９の状態では、広面側保持部３２および外側保持部３３には強い外力は作用していないので、クリープ変形等の経時劣化は発生しにくい。
【００６５】
なお、外側保持部３３は差込部４３の全長にわたってほぼ等間隔に複数個設けられている事が望ましいが、不等間隔に設けられていても良い。また小型の表示装置１の場合には１個だけでも良い。広面側保持部３２は、短いものが複数個、等間隔または不等間隔で設けられていてもよい。
【００６６】
本実施の形態によると、装飾体４のパンチング加工が不要なので、製作工程を短縮できる。また、広面側被保持部４２が裏面４４から突出していないので、装飾体４を軽量化できる。
【００６７】
［実施の形態４］
図２０は、実施の形態４の装飾体４の外観を示す斜視図である。図２１は、実施の形態４の装飾体４の外観を示す拡大斜視図である。図２２は、実施の形態４の装飾体４と筐体３とを組み合わせた状態の断面図である。実施の形態１と共通する部分の説明は省略する。
【００６８】
図２０および図２１は、装飾体４を表示装置１に取り付けた場合に、筐体３を向く側から見た図である。図２２は図９と同じ位置の断面図である。
【００６９】
装飾体４と、図２に示した実施の形態１の装飾体４との外形は同一形状である。両者の相違点は、本実施形態の装飾体４には差込部４３の固定穴４３１が無い点である。
【００７０】
図２２を用いて、筐体３の形状について説明する。筐体３の構成部材であるフロントカバー３１には、差込部４３側に対応した差込穴３４が５か所設けられている。差込穴３４の上側の側面は平面になっている。
【００７１】
フロントカバー３１には、装飾板本体４１の装飾板下縁４７に対応する場所に、外側保持部３３１が設けられている。外側保持部３３１は上側に立ち上がる突起であり、装飾板本体４１の全長にわたって延びている。
【００７２】
図２２を用いて、装飾体４の固定方法について説明する。差込部４３を、差込穴３４に差し込む。装飾体４に図２２に白抜き矢印で示すように下向きに押すと、アルミニウム製の装飾体４に比べて剛性の低い広面側保持部３２および外側保持部３３１が一時的に弾性変形して、広面側被保持部４２および装飾板本体４１の装飾板下縁４７を通過させる。装飾体４は、広面側保持部３２と広面側被保持部４２および装飾板本体４１の装飾板下縁４７とがかみあって固定される。
【００７３】
装飾体４の左右方向の平行移動は、中央の差込穴３４で構成される長手方向規制部と中央の差込部４３とにより規制される。装飾体４の短手方向に沿った斜め上下方向の平行移動は、装飾板下縁４７と外側保持部３３１により規制される。装飾面４５に垂直な平行移動は差込部４３と差込穴３４の縁が突き当たることにより規制される。装飾体４の時計回りの回転移動は、広面側被保持部４２と広面側保持部３２とが相互に突き当たることにより規制される。装飾体４の反時計回りの回転移動は、差込部４３と差込穴３４の縁が突き当たることにより規制される。装飾面４５の面内の回転移動は、広面側被保持部４２と広面側保持部３２が相互に突き当たることにより規制される。
【００７４】
以上により、装飾体４は図２２に示す状態でフロントカバー３１の表面に固定され、表示装置１の通常の使用、保管および輸送では外れない。図２２の状態では、広面側保持部３２および外側保持部３３１には強い外力は作用していないので、クリープ変形等の経時劣化は発生しにくい。
【００７５】
本実施の形態によると、装飾板下縁４７が外側保持部３３１で覆われるため、装飾体４が筐体３に埋め込まれて一体化したような印象を与える意匠を実現できる。
【００７６】
なお、装飾体４の材質にチタン合金、マグネシウム合金、鋼等押出成形に適した任意の金属材料を使用しても良い。また、装飾体４の材質にエンジニアリングプラスチック、セラミックス等の押出成形に適した非金属材料を使用しても良い。
【００７７】
装飾板本体４１は、波型板形状、円弧板形状、Ｌ字板形状等押出成形可能な任意の断面形状としても良い。差込部４３等のパンチング加工と同工程または別工程で装飾板本体４１にもパンチング加工を行って、装飾板下縁４７を波型等に加工しても良い。
【００７８】
装飾体４の取り付け位置は、表示部２の下側に限定されるものではない。表示部２の上側、右側、左側、裏側等、表示装置１の高級感を演出するために必要な任意の場所に取り付ける事ができる。また、表示装置１に複数の装飾体４を設けても良い。
【００７９】
表示装置１は、コンピューター用、ゲーム機用、デジタルサイネージ用等の様々な用途に使用できる。
【００８０】
表示装置１をテレビジョン受信機として使用する場合には、テレビジョン受信部を搭載する。テレビジョン受信部が受信した放送信号に所定の処理を行い、映像信号と音声信号とに分離する。映像信号に基づき表示部２に映像を表示され、音声信号に基づきスピーカーより音声を出力する。
【００８１】
音声信号を出力しない場合には、スピーカーを設けなくても良い。また、音声信号出力端子を設けて、外部スピーカーに音声信号を出力しても良い。
【００８２】
表示部２には、液晶表示パネル、プラズマ表示パネル、有機ＥＬ(Electroluminescence)表示パネル等の任意の方式の表示パネルを使用できる。
【００８３】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００８４】
以上の実施の形態に関し、更に以下の付記を開示する。
【００８５】
本発明の表示装置（１）は、表示部（２）を収容する筐体（３）と、前記筐体（３）の外表面の一部を覆う装飾体（４）とを有する表示装置（１）において、前記装飾体（４）は、板状の装飾板本体（４１）と、該装飾板本体（４１）の周縁部に突設された差込部（４３）と、前記装飾板本体（４１）の一方の広面側に設けられ、前記差込部（４３）が設けられた側に傾いた突起状の広面側被保持部（４２）とを備え、前記筐体（３）は、前記差込部（４３）を差込み可能な差込穴（３４）と、前記差込穴（３４）から離れる向きに突設されており前記広面側被保持部（４２）と係合された広面側保持部（３２）と、前記装飾板本体（４１）の周縁部（４７）または前記差込部（４３）を保持した外側保持部（３３，３３１）とを備えることを特徴とする。
【００８６】
これにより、組立作業の最終段階で、剛性の高い装飾体を簡単に取り付けることのできる表示装置を提供する事ができる。
【００８７】
本発明の表示装置（１）は、前記装飾板本体（４１）は、広面内における一方向の寸法が該一方向と直交する他の方向の寸法より長く、前記装飾板本体（４１）および前記広面側被保持部（４２）は、前記装飾板本体（４１）の長手方向に沿って一様な断面を有することを特徴とする。
【００８８】
本発明の表示装置（１）は、前記外側保持部（３３，３３１）は、前記差込穴の周辺に設けられた、前記差込部（４３）と係合する突起であることを特徴とする。
【００８９】
本発明の表示装置（１）は、前記外側保持部（３３，３３１）は筐体の外側に向けて突出し、前記装飾板本体（４１）の前記差込部（４３）が設けられた側と反対側の周縁部と係合する突起であることを特徴とする。
【００９０】
本発明のＴＶ受信機は、上述の表示装置（１）と、テレビジョン放送を受信する受信部とを備え、前記受信部にて受信したテレビジョン放送に基づいて、前記表示装置（１）に映像を表示するようにしてあることを特徴とする。
【００９１】
本発明の表示装置（１）は、前記装飾体（４）は押出成形により製作した材料を加工したものであることを特徴とする。
【００９２】
これにより、複雑な形状の装飾体を容易に製作することができるので、表示装置の意匠の自由度を高くすることができる。
【００９３】
本発明の表示装置（１）は、前記加工は、材料の一部を除去する加工であることを特徴とする。
【００９４】
これにより、複雑な形状の装飾体を更に容易に製作することができる。
【００９５】
本発明の表示装置（１）は、前記差込部（４３）は、前記装飾板本体（４１）よりも薄い板状であることを特徴とする。
【００９６】
これにより、装飾体を軽量化することが可能であり、また、装飾体に使用する材料を節約できる。
【００９７】
本発明の表示装置（１）は、前記差込部（４３）は複数設けられており、複数の前記差込部（４３）は同一平面に沿って配置されていることを特徴とする。
【００９８】
これにより、長い装飾体を複数の場所で筐体に固定できるので固定強度が高まる。装飾体に押出成形により製作した材料を使用する場合には、差込部も装飾板本体および広面側被保持部と一体の材料から製作できるので、製作工程を短縮できる。
【００９９】
本発明の表示装置（１）は、前記装飾板本体（４１）は、広面内における一方向の寸法が該一方向と直交する他の方向の寸法より長く、前記筐体（３）は、前記装飾板本体（４１）の長手方向の移動を規制する長手方向規制部を備えることを特徴とする。
【０１００】
これにより、装飾体を筐体に取り付ける際の長手方向の位置調整が容易になる。
【０１０１】
本発明の表示装置（１）は、前記差込部（４３）は広面に貫通穴（４３１）を有する板状であり、前記外側保持部（３３）は、前記差込穴（３４）の周縁から突出して前記貫通穴（４３１）に差し込まれた突起である事を特徴とする。
【０１０２】
これにより、簡単に取り付けることができるが、通常の使用、保管および輸送では外れない装飾体を有する表示装置を提供する事ができる。
【０１０３】
本発明の表示装置（１）は、前記差込部（４３）は板状であり、前記外側保持部（３３）は、前記差込穴（３４）の内側面に突出して前記差込部（４３）の広面に当接する突起である事を特徴とする。
【０１０４】
これにより、一度取り付けた後は外す事が困難な装飾体を有する表示装置を提供する事ができる。
【０１０５】
本発明の表示装置（１）は、前記差込部（４３）は平板状であり、前記外側保持部（３３）は、前記差込穴（３４）の周縁から前記差込穴（３４）側を向いて突出して、前記差込穴（３４）の縁との間に前記差込部（４３）を挟む突起である事を特徴とする。
【０１０６】
これにより、装飾体の穴あけ工程が不要となり、製作工程を短くすることができる。
【０１０７】
本発明の表示装置（１）は、前記広面側被保持部（４２）は、前記装飾板本体（４１）の広面から突出されたＬ字板状であることを特徴とする。
【０１０８】
これにより、筐体側の広面側保持部の突起を小さくすることができるので、筐体の樹脂成型時の歩留りを向上させることができる。
【０１０９】
本発明の表示装置（１）は、前記広面側被保持部（４２）は前記装飾板本体（４１）の広面に設けられた溝の側面と、前記広面とを表面に有する突起であることを特徴とする。
【０１１０】
これにより、広面側被保持部が裏面から突出していないので、装飾体を軽量化できる。
【０１１１】
本発明の表示装置（１）の製造方法は、表示部（２）を収容する筐体（３）と、前記筐体（３）の外表面の一部を覆う装飾体（４）とを有する表示装置（１）の製造方法において、前記装飾体（４）は、板状の装飾板本体（４１）と、該装飾板本体（４１）の周縁部に突設された差込部（４３）と、前記装飾板本体（４１）の一方の広面側に設けられ、前記差込部（４３）が設けられた側に傾いた突起状の広面側被保持部（４２）とを備え、前記差込部（４３）を前記筐体（３）に設けられた差込穴（３４）に差込み、前記装飾板本体（４１）を前記筐体（３）に向けて押圧し、前記広面側被保持部（４２）により前記筐体（３）に設けられた広面側保持部（３２）を一時的に弾性変形し、前記広面側被保持部（４２）が所定の位置に移動すると前記広面側保持部（３２）が弾性変形前の形状に戻る事で前記装飾体（４）を固定することを特徴とする。
【０１１２】
これにより、剛性の高い装飾体を簡単に取り付けることができ、クリープ変形等の経時劣化は発生しにくい表示装置１の製造方法を提供する事ができる。
【０１１３】
本発明の表示装置（１）の製造方法は、前記押圧時に、前記装飾体（４）により前記筐体（３）に設けられた外側保持部（３３，３３１）を一時的に弾性変形し、前記装飾体（４）が所定の位置に移動すると前記外側保持部（３３，３３１）が弾性変形前の形状に戻る事で前記装飾体（４）を固定することを特徴とする。
【０１１４】
これにより、クリープ変形等の経時劣化が更に発生しにくい表示装置の製造方法を提供する事ができる。
【符号の説明】
【０１１５】
１  表示装置
２  表示部
３  筐体
３２  広面側保持部
３３  外側保持部
３３１  外側保持部
３４  差込穴
４  装飾体
４１  装飾板本体
４２  広面側被保持部
４３  差込部
４５  装飾面
【図１】
2016066953.tif 000003
【図２】
2016066953.tif 000004
【図３】
2016066953.tif 000005
【図４】
2016066953.tif 000006
【図５】
2016066953.tif 000007
【図６】
2016066953.tif 000008
【図７】
2016066953.tif 000009
【図８】
2016066953.tif 000010
【図９】
2016066953.tif 000011
【図１０】
2016066953.tif 000012
【図１１】
2016066953.tif 000013
【図１２】
2016066953.tif 000014
【図１３】
2016066953.tif 000015
【図１４】
2016066953.tif 000016
【図１５】
2016066953.tif 000017
【図１６】
2016066953.tif 000018
【図１７】
2016066953.tif 000019
【図１８】
2016066953.tif 000020
【図１９】
2016066953.tif 000021
【図２０】
2016066953.tif 000022
【図２１】
2016066953.tif 000023
【図２２】
2016066953.tif 000024